(57)【要約】【課題】美観に優れ、使用者が洗濯機から離れた位置からでも運転内容がわかりやすくなるように表示できる洗濯機の操作表示装置を提供する。【解決手段】液晶表示パネル２８と、液晶表示パネル２８の背面から照射する少なくとも異なる３色を発光できる光源を有するバックライト３１と、操作スイッチ３９や液晶表示パネル２８やバックライト３１を積載した制御装置３８とを備え、バックライト３１は洗濯・すすぎ・脱水・乾燥の各行程毎に液晶表示パネル２８に照射する光を異なる色にする構成としたので、使用者が洗濯機から離れた位置からでも運転内容を液晶パネルの色で判別することが容易にでき運転内容をわかりやすく確実に伝えることができる。【選択図】図２
2013094218.tif 000002
【特許請求の範囲】
【請求項１】
操作ボタン部と表示部とを有する操作表示パネルと、前記操作ボタン部に対応する位置に設けた操作スイッチと、前記表示部に対応する位置に設けた液晶表示パネルと、前記液晶表示パネルの背面から照射する少なくとも異なる３色を発光できる光源を有するバックライトと、前記操作スイッチや前記液晶表示パネルや前記バックライトを積載した制御装置とを備え、前記バックライトは洗濯・すすぎ・脱水・乾燥の各行程毎に前記液晶表示パネルに照射する光を異なる色にする構成とした洗濯機の操作表示装置。
【請求項２】
前記バックライトの少なくとも異なる３色を発光できる光源は、ＲＧＢの発光素子を１つのパッケージに収めた発光ダイオードとし、前記発光ダイオードのＲＧＢそれぞれの電流値を制御する電流制御部を有する請求項１に記載の洗濯機の操作表示装置。
【請求項３】
前記バックライトの少なくとも異なる３色を発光できる光源は、ＲＧＢの発光素子を１つのパッケージに収めた発光ダイオードに加え、さらに１つの所定の発光素子を持つ発光ダイオードを有する請求項２に記載の洗濯機の操作表示装置。
【発明の詳細な説明】
【技術分野】
【０００１】
本発明は、操作ボタン部の操作に対応して表示する液晶表示パネル部を搭載した洗濯機の操作表示装置に関するものである。
【背景技術】
【０００２】
従来、この種の洗濯機の操作表示装置は、図５、６に示すように構成していた。以下、その構成について説明する。
【０００３】
図５は、従来の洗濯機の操作表示装置を備えた洗濯機の要部上面図、図６は、同洗濯機の操作表示装置の分解斜視図である。
【０００４】
図５に示すように、操作表示パネル１は、洗濯機の洗濯槽（図示せず）を開閉自在に覆う蓋２の前方（手前側）に取り付けており、この操作表示パネル１の上面にシート材で構成されたパネルシート３を貼り付けている。このパネルシート３に、操作部４、５、コース表示部６ａ、６ｂ、６ｃなどを設けている。操作部４は洗濯動作を開始するとき操作するスタートスイッチであり、操作部５は、所定の運転コースを選択するとき操作するコース選択スイッチである。
【０００５】
コース表示部６ａ、６ｂ、６ｃは、操作部５により所定の運転コースを選択すると点灯する。電源入りスイッチ７ａは、洗濯機本体に電源を投入するものであり、電源切りスイッチ７ｂは、洗濯機本体の電源を遮断するものである。
【０００６】
つぎに、図６に示すように、操作表示パネル１の操作表示部８の下方に洗濯機の運転を制御する制御装置９を装着し、この制御装置９に複数のスイッチ１０を設けている。このスイッチ１０は、操作表示部８の操作ボタン部１１に対応した位置に設けられ、この操作ボタン部１１に設けた押圧部１２を押圧することでオン、オフできるように構成されている。ここで、操作ボタン部１１は、弾性を有するように形成したボタン支持部１３により操作表示部８に上下動自在に支持されている。
【０００７】
操作表示部８の上面には、弾性を有するパネルシート３を貼着し、パネルシート３に設けた操作部４、５より、操作ボタン部１１を介してスイッチ１０を押圧できるようにしている。
【０００８】
また、パネルシート３のコース表示部６ａ、６ｂ、６ｃの表示は、制御装置９にセットした表示ケース１４に設けたＬＥＤ（発光ダイオード）等からなる表示素子１５の点灯や点滅等で、裏面からパネルシート３の表面に印刷してあるコースの表示を照射することにて構成される。
【０００９】
上記表示ケース１４は、操作表示パネル１に形成した開口部である表示窓１６に下方より挿入してセットする。
【００１０】
上記構成において、その動作を説明すると、電源入りスイッチ７ａをオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が希望のコースを選択する（例えば、特許文献１参照）。
【先行技術文献】
【特許文献】
【００１１】
【特許文献１】特開２００４−０７３７０６号公報
【発明の概要】
【発明が解決しようとする課題】
【００１２】
しかしながら、このような従来の洗濯機の操作表示装置の構成では、洗濯機の運転内容が非常に使用者にはわかりにくく、特に操作表示パネル１のパネルシートには全ての表示内容を印刷し、その印刷部を下方からＬＥＤの点灯・消灯のみで使用者が運転内容を確認することが必要で視認性に課題があった。
【００１３】
また、ＬＥＤ（発光ダイオード）等の表示素子１５のみの操作表示のため、表示にメリハリがなく、運転内容に対する表示の差別化が出来にくいという課題があった。
【００１４】
本発明は、前記従来の課題を解決するもので、液晶パネルを用いることにより使用者が運転内容やコース内容を容易に設定することができ、しかも洗濯・すすぎ・脱水・乾燥等の各行程毎にバックライトから照射される色を変えることで使用者が洗濯機から離れた位置からでも運転内容を液晶パネルの色で判別することが容易にでき非常に使用者にはわかりやすく、かつ美観の損なわない洗濯機の操作表示装置として提供することを目的とする。
【課題を解決するための手段】
【００１５】
前記従来の課題を解決するために、本発明の洗濯機の操作表示装置は、操作ボタン部と表示部とを有する操作表示パネルと、前記操作ボタン部に対応する位置に設けた操作スイッチと、前記表示部に対応する位置に設けた液晶表示パネルと、前記液晶表示パネルの背面から照射する少なくとも異なる３色を発光できる光源を有するバックライトと、前記操作スイッチや前記液晶表示パネルや前記バックライトを積載した制御装置とを備え、前記バックライトは洗濯・すすぎ・脱水・乾燥の各行程毎に前記液晶表示パネルに照射する光を異なる色にする構成としたものである。
【００１６】
これによって、洗濯・すすぎ・脱水・乾燥等の各行程毎にバックライトから照射される色を変えることで使用者が洗濯機から離れた位置からでも運転内容を液晶パネルの色で判別することが容易にでき非常に使用者にはわかりやすく、かつ美観の損なわない洗濯機の操作表示装置を実現することができる。
【発明の効果】
【００１７】
本発明の洗濯機の操作表示装置は、美観に優れ、液晶パネルに照射するバックライトの光源からの色を洗濯・すすぎ・脱水・乾燥の各行程毎に変えることにより使用者が洗濯機から離れた位置からでも運転内容を液晶パネルの色で判別することが容易にでき運転内容をわかりやすく確実に伝えることができる。
【図面の簡単な説明】
【００１８】
【図１】本発明の実施の形態１における洗濯機の操作表示装置の要部上面図
【図２】同洗濯機の操作表示装置の図１のＡ−Ａ断面図
【図３】同洗濯機の操作表示装置を搭載した洗濯機の正面図
【図４】同洗濯機の操作表示装置の液晶パネルの各工程持の表示色を示す図
【図５】従来の洗濯機の操作表示装置を備えた洗濯機の要部上面図
【図６】同洗濯機の操作表示装置の分解斜視図
【発明を実施するための形態】
【００１９】
第１の発明は、操作ボタン部と表示部とを有する操作表示パネルと、前記操作ボタン部に対応する位置に設けた操作スイッチと、前記表示部に対応する位置に設けた液晶表示パネルと、前記液晶表示パネルの背面から照射する少なくとも異なる３色を発光できる光源を有するバックライトと、前記操作スイッチや前記液晶表示パネルや前記バックライトを積載した制御装置とを備え、前記バックライトは洗濯・すすぎ・脱水・乾燥の各行程毎に前記液晶表示パネルに照射する光を異なる色にする構成とすることにより、洗濯・すすぎ・脱水・乾燥等の各行程毎にバックライトから照射される色を変えることで使用者が洗濯機から離れた位置からでも運転内容を液晶パネルの色で判別することが容易にでき非常に使用者にはわかりやすく、かつ美観の損なわない洗濯機の操作表示装置を実現することができる。
【００２０】
第２の発明は、特に、第１の発明のバックライトの少なくとも異なる３色を発光できる光源は、ＲＧＢの発光素子を１つのパッケージに収めた発光ダイオードとし、前記発光ダイオードのＲＧＢそれぞれの電流値を制御する電流制御部を有する構成とすることにより、Ｒ（赤）、Ｇ（緑）、Ｂ（青）の光の３原色でバックライトから照射される色を電流制御部で制御することが可能となり、洗濯・すすぎ・脱水・乾燥等の各運転行程中の他にエラーモード表示中や初期設定モード中や一時停止中のときにも自由に液晶パネルの色を変更することが容易にでき、更に美観に優れ、使用者にわかりやすい洗濯機の操作表示装置を実現することができる。
【００２１】
また、ＲＧＢの発光素子を１つのパッケージに収めた発光ダイオードを用いることで発光ダイオードから照射される光を液晶パネル上に均一にしかも効率よく導光することができ液晶パネル上の輝度ムラを容易に抑え、更に美観に優れた洗濯機の操作表示装置を実現することができる。
【００２２】
第３の発明は、特に、第１の発明のバックライトの少なくとも異なる３色を発光できる光源は、ＲＧＢの発光素子を１つのパッケージに収めた発光ダイオードに加え、さらに１つの所定の発光素子を持つ発光ダイオードを有する構成とすることにより、より安価にバックライトを構成でき、更に美観に優れた洗濯機の操作表示装置を実現することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における洗濯機の操作表示装置の要部上面図、図２は同洗濯機の操作表示装置の図１のＡ−Ａ断面図、図３は、同洗濯機の操作表示装置を搭載した洗濯機の正面図、図４は、同洗濯機の操作表示装置の液晶パネルの各工程持の表示色を示す図である。
【００２５】
図１において、洗濯機の操作表示面全体を構成するパネルカバー２０は、プラスチック成形部材にて構成されている。
【００２６】
パネルカバー２０には、洗濯機本体４６に電源を投入する際に操作する電源入スイッチ２１および電源を遮断する際に操作する電源切スイッチ２２、洗濯等の動作をスタートあるいは一時停止する際に操作するスタートスイッチ２３がある。
【００２７】
また、洗濯のみの運転をするのか、乾燥のみの運転をするのか、洗濯と乾燥の両方の運転をするのかを選択する洗濯・乾燥スイッチ２４、洗濯物に適した各種運転コースを選択するコース選択スイッチ２５、更に洗濯・すすぎ・脱水・乾燥の各工程の詳細時間および
運転するか否かを選択する運転行程設定スイッチ２６、その他設定スイッチ２７等を有する操作ボタン部４３と、これらの操作ボタン部４３の操作にて設定される内容を表示させる表示部４４として液晶表示パネル２８等で構成される。液晶表示パネル２８は、洗濯・すすぎ・脱水・乾燥の各行程の設定時間や全行程の残時間等及び洗濯内容・時間を用途別に設定した運転コース等を表示する。
【００２８】
図２において、操作表示パネル４５の表示部４４にパネルカバー２０の横長縦矩形状の透明窓２９に対応して、その裏面内方には、図１で説明した液晶表示パネル２８の表示を透過視認できるように液晶表示パネル２８に対応する部分を透明に設けたフィルムシート３０をインサート成型している。
【００２９】
フィルムシート３０は液晶表示パネル２８の表示する部分のみが透明になっていて周囲は液晶表示パネル２８のバックライト３１の光漏れの防止のために不透明にしている。
【００３０】
液晶パネル外装ケース３２は反射性の高いポリカーボネート（ＰＣ）もしくはアクリルといった受素材料で成形されており、その上方部にはアクリル樹脂等で光学設計の施された導光板３３を配置している。その導光板３３の上には光を拡散させるために導光板３３を覆い隠すように拡散シート３４を配し、その拡散シート３４の上には更に拡散シート３４を覆い隠すように液晶表示パネル２８を配置する構成である。
【００３１】
導光板３３の側面には光源としてのＲＧＢの発光素子を１つのパッケージに収めた発光ダイオード３６を複数個半田付けしたＬＥＤ基板３５を配置する。
【００３２】
発光ダイオード３６からの光は導光板３３の側面から入光し、導光板３３で導光された光が拡散シート３４を介して液晶表示パネル２８の全面を照射する。
【００３３】
制御装置ケース３７にビス止めした制御装置３８には各電子部品の他に液晶表示パネル２８やバックライト３１や図１で説明した各操作スイッチに対応する位置に操作スイッチ３９やＲＧＢの発光素子を１つのパッケージに収めた発光ダイオード３６の各発光素子の電流値を制御する電流制御部４０やマイコン４１等が半田固定されており、防湿処理のために半田ディップの後にポリウレタン樹脂等で構成された防湿材からなる防湿ポッティング剤充填させて、制御装置３８の表裏に防湿処理を施す。
【００３４】
パネルカバー２０に上下動可能に一体形成された押圧部４２は、押圧することより制御装置３８に装着した操作スイッチ３９に信号が入力される。
【００３５】
操作ボタン部４３の近傍には、図１にて示した電源入スイッチ２１、電源切スイッチ２２、スタートスイッチ２３、洗濯・乾燥スイッチ２４、コース選択スイッチ２５、運転行程設定スイッチ２６、その他設定スイッチ２７等の操作ボタン部の印刷表示を施す。
【００３６】
図３において、洗濯機本体４６の正面中央部に洗濯物を投入する洗濯兼脱水槽４７があり、その洗濯兼脱水槽４７の上部に操作表示パネル４５を配置させる。４８は洗濯兼脱水槽の扉である。
【００３７】
以上のように構成された洗濯機の操作表示装置について、以下その動作、作用、および効果を説明する。図４の同洗濯機の操作表示装置の液晶パネルの各工程持の表示色を示す図を用いて、詳細な制御動作を説明する。
【００３８】
まず、電源ＯＦＦ時は、Ｒ（赤）：ＯＦＦ、Ｇ（緑）：ＯＦＦ、Ｂ（青）：ＯＦＦの状態であり、液晶パネルの色は発光ダイオード３６に電流が流れていないため消灯状態であ
る。
【００３９】
次に、電源入スイッチ２１をＯＮすると初期運転設定モードになり、Ｒ（赤）：ＯＮ、Ｇ（緑）：ＯＮ、Ｂ（青）：ＯＮの状態になり、液晶パネルの色は白色に照射される。
【００４０】
次に、洗濯・乾燥スイッチ２４を押し、洗濯から乾燥を続けて行なうように設定したのち、スタートスイッチ２３を押すと洗い運転がスタートし、Ｒ（赤）：ＯＦＦ、Ｇ（緑）：ＯＦＦ、Ｂ（青）：ＯＮの状態になり、液晶パネルの色は青色に照射される。
【００４１】
次に、洗い運転が終了し、すすぎ運転に移行すると、Ｒ（赤）：ＯＦＦ、Ｇ（緑）：ＯＮ、Ｂ（青）：ＯＦＦの状態になり、液晶パネルの色は緑色に照射される。
【００４２】
次に、すすぎ運転が終了し、脱水運転に移行すると、Ｒ（赤）：ＯＮ（ただし電流を弱で流す）、Ｇ（緑）：ＯＮ（ただし電流を強で流す）、Ｂ（青）：ＯＦＦの状態になり、液晶パネルの色は黄色に照射される。
【００４３】
次に、脱水運転が終了し、乾燥運転に移行すると、Ｒ（赤）：ＯＮ（ただし電流を強で流す）、Ｇ（緑）：ＯＮ（ただし電流を弱で流す）、Ｂ（青）：ＯＦＦの状態になり、液晶パネルの色は橙色に照射され、乾燥が終了すると自動的にＯＦＦする。
【００４４】
また、洗濯、乾燥運転中にスタートスイッチ２３を押すと、運転は一時的に停止する一時停止モードに入り、Ｒ（赤）：ＯＮ、Ｇ（緑）：ＯＮ、Ｂ（青）：ＯＮの状態になり、液晶パネルの色は白色に照射される。
【００４５】
また、部品の故障などで洗濯機本体でエラーを検知した場合は、エラー表示モードに入り、Ｒ（赤）：ＯＮ（点滅させる）、Ｇ（緑）：ＯＦＦ、Ｂ（青）：ＯＦＦの状態になり、液晶パネルの色は赤色に照射され、発光ダイオード３６が点滅することで使用者にエラー報知する。
【００４６】
図１、図２、図３、図４において、洗濯・すすぎ・脱水・乾燥等の各行程毎にバックライト３１から照射される色を変えることで使用者が洗濯機から離れた位置からでも運転内容を液晶パネルの色で判別することが容易にでき非常に使用者にはわかりやすく、かつ美観の損なわない洗濯機の操作表示装置を実現することができる。
【００４７】
Ｒ（赤）、Ｇ（緑）、Ｂ（青）の光の３原色でバックライト３１から照射される色を電流制御部４０で制御することが可能となり、洗濯・すすぎ・脱水・乾燥等の各運転行程中の他にエラーモード表示中や初期設定モード中や一時停止中のときにも自由に液晶パネルの色を変更することが容易にでき、更に美観に優れ、使用者にわかりやすい洗濯機の操作表示装置を実現することができる。
【００４８】
また、ＲＧＢの発光素子を１つのパッケージに収めた発光ダイオード３６を用いることで発光ダイオード３６から照射される光を液晶パネル上に均一にしかも効率よく導光することができ液晶パネル上の輝度ムラを容易に抑え、更に美観に優れた洗濯機の操作表示装置を実現することができる。
【００４９】
また、本実施の形態では、図４で示したように各行程運転中の色を固定したが、あくまでも一例であり、運転内容によっては自由に液晶表示パネル２８に照射する色を設定することができ、自由に液晶パネル色をカスタマイズできる。
【００５０】
また、本実施の形態では、導光板３３の側面に配置した発光ダイオード３６をＲＧＢの
発光素子を１つのパッケージに収めた発光ダイオードとしたが、液晶パネルなどが大きくなると、ＲＧＢの発光素子を１つのパッケージに収めた発光ダイオードを複数個用いる必要があるが、そのときはＲＧＢの発光素子を１つのパッケージに収めた発光ダイオードを１つと、例えば白色の発光素子を持つＬＥＤを複数個横に並べて配置してバックライトの輝度を確保することでもよく、より安価にバックライトを構成でき、しかも美観を損なわない洗濯機の操作表示装置を実現することができる。
【００５１】
上記実施の形態１は、洗濯機について記載したが、液晶パネルを使用する電気機器であれば、同等の構成とすることにより、同等の効果を得ることができることは言うまでもない。
【産業上の利用可能性】
【００５２】
本発明の洗濯機の操作表示装置は、美観に優れ、液晶パネルのバックライトの色を行程運転ごとに分ける構成とし使用者が洗濯機から離れた位置からでも運転内容を液晶パネルの色で判別することが容易にでき運転内容をわかりやすく確実に伝えることができるため液晶表示パネルを有する各種機器に適用できる。
【符号の説明】
【００５３】
２８  液晶表示パネル
３１  バックライト
３６  発光ダイオード
３８  制御装置
３９  操作スイッチ
４０  電流制御部
４３  操作ボタン部
４４  表示部
４５  操作表示パネル
【図１】
2013094218.tif 000003
【図２】
2013094218.tif 000004
【図３】
2013094218.tif 000005
【図４】
2013094218.tif 000006
【図５】
2013094218.tif 000007
【図６】
2013094218.tif 000008